(57)【要約】  本発明の実施形態に係るレンズ駆動装置（１０１）は、筐体に収容されるとともにレンズ体を保持可能なレンズ保持部材（２）と、レンズ保持部材（２）の外側に保持されるコイル（３）と、コイル（３）に対向して配置される磁石（５）とを備え、コイル（３）に流れる電流と磁石（５）が発生する磁界とで力を発生させて板ばね（６）で支持されているレンズ保持部材（２）を光軸（ＪＤ）の方向に沿って移動させる。レンズ保持部材（２）には粘着性の異物捕捉部材（５０）が設けられている。
2019131316.tif 000002
【特許請求の範囲】
【請求項１】
筐体と、前記筐体に収容されるとともにレンズ体を保持可能なレンズ保持部材と、前記レンズ保持部材の外側に保持されるコイルと、前記コイルに対向して配置される磁石とを備え、前記コイルに流れる電流と前記磁石が発生する磁界とで力を発生させて支持部材で支持されている前記レンズ保持部材を光軸方向に沿って移動させるレンズ駆動装置であって、
前記レンズ保持部材に粘着性の異物捕捉部材が設けられている、
レンズ駆動装置。
【請求項２】
前記筐体は、矩形状のカバー部材を含み、
前記カバー部材は、天井部及び側板部を有し、
前記レンズ保持部材は、前記コイルの内周面と対向する外壁部を有し、
前記外壁部は、前記カバー部材の角部のそれぞれに対応するように配置された角壁部を含み、
前記角壁部は、前記天井部に対向する壁端面を有し、
前記異物捕捉部材は、前記壁端面に設けられている、
請求項１に記載のレンズ駆動装置。
【請求項３】
前記異物捕捉部材は、前記角壁部の前記壁端面に形成された溝部に配置されている、
請求項２に記載のレンズ駆動装置。
【請求項４】
前記カバー部材の前記天井部に形成された開口には、前記カバー部材の角部のそれぞれに向かって拡がるように切欠部が形成されており、
前記溝部は、前記切欠部に対応するように形成されている、
請求項３に記載のレンズ駆動装置。
【請求項５】
前記溝部は、前記コイルの内周面と対向する前記外壁部の外面に繋がるように形成されている、
請求項３又は４に記載のレンズ駆動装置。
【請求項６】
前記外壁部は、前記カバー部材の前記側板部に対向するように配置された側壁部を含み、
前記溝部は、前記角壁部の両側にある２つの前記側壁部の間に形成されている、
請求項３乃至５の何れかに記載のレンズ駆動装置。
【請求項７】
前記溝部は、前記コイルの内周面と対向する前記側壁部の少なくとも１つの外面に繋がるように形成されている、
請求項６に記載のレンズ駆動装置。
【請求項８】
前記側壁部の少なくとも１つの外面には、前記コイルの内周面から離れる方向へ窪む凹部が形成されており、
前記溝部は、前記凹部に繋がるように形成されている、
請求項７に記載のレンズ駆動装置。
【請求項９】
前記異物捕捉部材は、接着剤を硬化させたものであり、
前記コイルは、前記接着剤によって前記外壁部に固定されている、
請求項２乃至８の何れかに記載のレンズ駆動装置。
【請求項１０】
前記レンズ保持部材は、
外方へ突出するように形成された第１突出部と、
前記カバー部材の前記側板部に向かって外方へ突出するように形成された第２突出部と、を有し、
前記第２突出部は、前記光軸方向において前記第１突出部と対向するように形成されており、
前記コイルは、前記光軸方向において前記第１突出部と前記第２突出部との間に配置されている、
請求項２乃至９の何れかに記載のレンズ駆動装置。
【請求項１１】
前記角壁部の前記壁端面は、光軸に垂直な平坦面であり、
前記カバー部材の前記天井部と対向するように配置された前記コイルの端面と前記壁端面は同一平面上にある、
請求項２乃至１０の何れかに記載のレンズ駆動装置。
【請求項１２】
前記筐体は、前記レンズ保持部材に対向するベース部材を備え、
前記ベース部材に形成された開口の縁部には複数の突堤部が設けられている、
請求項１乃至１１の何れかに記載のレンズ駆動装置。
【請求項１３】
請求項１乃至１２の何れかに記載のレンズ駆動装置と、
前記レンズ体と、
前記レンズ体に対向する撮像素子と、を有する、
カメラモジュール。
【発明の詳細な説明】
【技術分野】
【０００１】
本開示は、例えばカメラ付き携帯機器に搭載されるレンズ駆動装置、及び、レンズ駆動装置を含むカメラモジュールに関する。
【背景技術】
【０００２】
従来、レンズホルダ（レンズ保持部材）と、レンズ保持部材の外周に配置されるコイルと、レンズ保持部材を光軸方向に移動可能に支持する板ばねと、ベース（ベース部材）とを含むレンズ駆動装置が知られている（特許文献１参照。）。【０００３】
このレンズ駆動装置では、ベース部材上に、埃等の異物を捕捉するためのダストトラップ剤が塗布されている。
【先行技術文献】
【特許文献】
【０００４】
【特許文献１】特開２００９−２５１５１７号公報
【発明の概要】
【発明が解決しようとする課題】
【０００５】
しかしながら、ダストトラップ剤が塗布されるベース部材上の領域の確保は、レンズ体の直径が大きいほど困難になる。ベース部材上の空きスペースが小さくなるためである。そして、ダストトラップ剤が塗布される領域が制限されると、レンズ駆動装置の筐体内に侵入した異物が筐体を通り抜けて撮像素子、フィルタ等を備えた撮像装置まで達してしまうおそれがある。【０００６】
そこで、筐体内に侵入した異物が撮像装置まで達してしまうのをより確実に抑制或いは防止できるレンズ駆動装置を提供することが望ましい。
【課題を解決するための手段】
【０００７】
本発明の実施形態に係るレンズ駆動装置は、筐体と、前記筐体に収容されるとともにレンズ体を保持可能なレンズ保持部材と、前記レンズ保持部材の外側に保持されるコイルと、前記コイルに対向して配置される磁石とを備え、前記コイルに流れる電流と前記磁石が発生する磁界とで力を発生させて支持部材で支持されている前記レンズ保持部材を光軸方向に沿って移動させるレンズ駆動装置であって、前記レンズ保持部材に粘着性の異物捕捉部材が設けられている。
【発明の効果】
【０００８】
上述の手段により、筐体内に侵入した異物が撮像装置まで達してしまうのをより確実に抑制或いは防止できるレンズ駆動装置が提供される。
【図面の簡単な説明】
【０００９】
【図１】レンズ駆動装置の分解斜視図である。
【図２Ａ】レンズ駆動装置の上方斜視図である。
【図２Ｂ】レンズ駆動装置の正面図である。
【図３Ａ】レンズ駆動装置の上面図である。
【図３Ｂ】レンズ駆動装置の底面図である。
【図４Ａ】ケースが取り外された状態にあるレンズ駆動装置の上方斜視図である。
【図４Ｂ】ケースが取り外された状態にあるレンズ駆動装置の左側面図である。
【図５Ａ】レンズ保持部材の上方斜視図である。
【図５Ｂ】レンズ保持部材の上方斜視図である。
【図６Ａ】レンズ保持部材の下方斜視図である。
【図６Ｂ】レンズ保持部材の下方斜視図である。
【図７Ａ】レンズ保持部材の上面図である。
【図７Ｂ】レンズ保持部材の右側面図である。
【図８Ａ】レンズ保持部材の下方斜視図である。
【図８Ｂ】レンズ保持部材の下方斜視図である。
【図９Ａ】レンズ保持部材の一部の拡大図である。
【図９Ｂ】レンズ保持部材の一部の拡大図である。
【図１０Ａ】一部の部材が省略された状態にあるレンズ駆動装置の底面図である。
【図１０Ｂ】一部の部材が省略された状態にあるレンズ駆動装置の底面図である。
【図１１Ａ】上側板ばねの上面図である。
【図１１Ｂ】下側板ばねの底面図である。
【図１２Ａ】レンズ駆動装置における板ばねとコイルとの接続の一例を説明する図である。
【図１２Ｂ】レンズ駆動装置における板ばねとコイルとの接続の一例を説明する図である。
【図１３Ａ】ベース部材の上方斜視図である。
【図１３Ｂ】ベース部材の上方斜視図である。
【図１４】レンズ保持部材の上面図である。
【図１５】上側板ばねの上面図である。
【図１６】ベース部材の上面図である。
【図１７】ケースの上面図である。
【図１８Ａ】レンズ保持部材の角壁部及び異物捕捉部材の上方斜視図である。
【図１８Ｂ】レンズ保持部材の角壁部及び異物捕捉部材の上方斜視図である。
【図１８Ｃ】レンズ保持部材の角壁部の上方斜視図である。
【図１８Ｄ】異物捕捉部材の上方斜視図である。
【図１９Ａ】レンズ保持部材、コイル、ケース及び磁石の断面図である。
【図１９Ｂ】レンズ保持部材、コイル、ケース及び磁石の断面図である。
【発明を実施するための形態】
【００１０】
以下、本発明の実施形態に係るレンズ駆動装置１０１について図面を参照して説明する。図１は、レンズ駆動装置１０１の分解斜視図である。図２Ａは、レンズ駆動装置１０１の上方斜視図であり、図２Ｂは、Ｙ２側から見たレンズ駆動装置１０１の正面図である。図３Ａは、レンズ駆動装置１０１の上面図であり、図３Ｂは、レンズ駆動装置１０１の底面図である。図４Ａは、ケース４を取り外した状態のレンズ駆動装置１０１の上方斜視図であり、図２Ａに対応する。図４Ｂは、Ｘ２側から見た、ケース４を取り外した状態のレンズ駆動装置１０１の左側面図である。
【００１１】
レンズ駆動装置１０１は、図１に示すように、レンズ体（図示せず。）を保持可能なレンズ保持部材２と、レンズ保持部材２をレンズ体に関する光軸方向（Ｚ軸方向）に沿って移動させる駆動機構ＭＫと、レンズ保持部材２を光軸方向に移動可能に支持する支持部材としての板ばね６と、板ばね６が固定される固定側部材ＲＧとを含む。レンズ体は、例えば、少なくとも１枚のレンズを備えた筒状のレンズバレルであり、その中心軸線が光軸方向に沿うように構成されている。光軸方向は、レンズ体ＬＳに関する光軸ＪＤの方向、及び、光軸ＪＤに平行な方向を含む。
【００１２】
駆動機構ＭＫは、図１に示すように、環状に巻かれたコイル３と、コイル３と対向して配置された４つの磁石５とを含む。固定側部材ＲＧは、カバー部材としての矩形箱状のケース４と、金属部材７が埋め込まれたベース部材１８とを含む。
【００１３】
金属部材７は、図３Ｂに示すように、外部との電気的な接続をもたらす端子７Ａ、７Ｂ及び７Ｃを含む。板ばね６は、レンズ保持部材２とケース４との間に配置される上側板ばね１６と、レンズ保持部材２とベース部材１８との間に配置される２つの下側板ばね２６Ａ、２６Ｂとを含む。
【００１４】
ケース４は、図２Ａに示すように、ベース部材１８に結合されてベース部材１８とともに筐体を構成する。ケース４は、矩形環状の外周壁部４Ｇと、外周壁部４Ｇの上端（Ｚ１側の端）と連続するように設けられた、角部４Ｃを除いて平板状の天井部４Ｂとを有する。
【００１５】
外周壁部４Ｇは、平板状に形成された４つの側板部４Ａを備えている。具体的には、側板部４Ａは、互いに対向する一対の第１側板部４Ａ１と、第１側板部４Ａ１に垂直で且つ互いに対向する一対の第２側板部４Ａ２とを有する。隣り合う第１側板部４Ａ１と第２側板部４Ａ２との間には、両者を繋ぐ曲面板部４Ｒが存在する。曲面板部４Ｒの内側は、天井部４Ｂの四隅を構成する角部４Ｃに対応する。天井部４Ｂの中央には略円形の開口４ｋが形成されている。そして、開口４ｋには、角部４Ｃのそれぞれに向かって拡がるように切欠部４ｋｃが形成されている。切欠部４ｋｃは、例えば、レンズ体をレンズ保持部材２に取り付ける際に、レンズ保持部材２を保持するために利用される。但し、切欠部４ｋｃは省略されてもよい。角部４Ｃは、第１角部４Ｃ１、第２角部４Ｃ２、第３角部４Ｃ３及び第４角部４Ｃ４を含む。そして、切欠部４ｋｃは、第１角部４Ｃ１〜第４角部４Ｃ４のそれぞれに対向するように配置された第１切欠部４ｋｃ１〜第４切欠部４ｋｃ４を含む。また、角部４Ｃは、天井部４Ｂの平板状の面から下方（Ｚ２方向）に窪むように形成されている。角部４Ｃの下面（Ｚ２側の面）と磁石５の上面（Ｚ１側の面）との間で上側板ばね１６を挟持するためである。なお、角部４Ｃは、上述のように、ケース４の天井部４Ｂの一部を構成している。
【００１６】
レンズ駆動装置１０１は、略直方体形状を有し、撮像素子（図示せず。）を実装した基板（図示せず。）の上に取り付けられる。レンズ駆動装置１０１と、レンズ保持部材２に装着されたレンズ体と、レンズ体に対向するように基板に実装された撮像素子と、基板とはカメラモジュールを構成する。コイル３は、下側板ばね２６Ａ、端子７Ａ及び基板を介し、且つ、下側板ばね２６Ｂ、端子７Ｂ及び基板を介して電源に接続される。コイル３に電流が流れると、駆動機構ＭＫは、光軸方向に沿った電磁力を発生させる。
【００１７】
レンズ駆動装置１０１は、この電磁力を利用し、撮像素子のＺ１側（被写体側）で、光軸方向に沿ってレンズ保持部材２を移動させることで自動焦点調節機能を実現する。具体的には、レンズ駆動装置１０１は、撮像素子から離れる方向にレンズ保持部材２を移動させてマクロ撮影を可能にし、撮像素子に近づく方向にレンズ保持部材２を移動させて無限遠撮影を可能にしている。
【００１８】
次に、レンズ保持部材２と駆動機構ＭＫについて説明する。図５Ａは、レンズ保持部材２の上方斜視図であり、図５Ｂは、図５Ａのレンズ保持部材２にコイル３が巻かれた状態を示す上方斜視図である。図６Ａは、レンズ保持部材２の下方斜視図であり、図６Ｂは、図６Ａのレンズ保持部材２にコイル３が巻かれた状態を示す下方斜視図である。図７Ａは、レンズ保持部材２の上面図であり、図７Ｂは、Ｘ１側から見たレンズ保持部材２の右側面図である。図８Ａは、レンズ保持部材２の下方斜視図であり、図８Ｂは、図８Ａに示すレンズ保持部材２にコイル３が巻かれた状態を示す下方斜視図である。図９Ａは、図８Ｂに示す部分Ｓの拡大図であり、図９Ｂは、図６Ｂに示す部分Ｐの拡大図である。図１０Ａは、金属部材７及びベース部材１８が省略された状態のレンズ駆動装置１０１の底面図であり、図１０Ｂは、更に下側板ばね２６Ａ、下側板ばね２６Ｂ及びレンズ保持部材２が省略された状態のレンズ駆動装置１０１の底面図である。
【００１９】
本実施形態では、レンズ保持部材２は、液晶ポリマー（ＬＣＰ）等の合成樹脂を射出成形することで作製されている。具体的には、レンズ保持部材２は、図５Ａに示すように、光軸方向に沿って貫通されるように形成された筒状部１２と、光軸方向における撮像素子側（Ｚ２側）に形成された第１突出部としてのフランジ部（鍔状部）５２とを含む。本実施形態では、フランジ部５２は、径方向外側に突出するように、すなわち、光軸方向に垂直な方向に突出するように形成されている。また、筒状部１２は、フランジ部５２の被写体側（Ｚ１側）においては、円筒状に形成されている。
【００２０】
本実施形態では、筒状部１２には、レンズ体が装着されるように、内周面にねじ溝が設けられている。但し、レンズ体は、接着剤によって筒状部１２に固定されてもよい。この場合、ねじ溝は省略されてもよい。また、筒状部１２には、被写体側の端面に窪み１２ｄｈを有した台座部１２ｄが光軸ＪＤを挟んで４箇所に設けられている。台座部１２ｄには、図４Ａに示すように、上側板ばね１６の内側部分１６ｉが載置され、且つ、接着剤で固定される。
【００２１】
筒状部１２の外周面には、図５Ａに示すように、コイル３を内側から支持する外壁部としてのコイル支持部１２ｊが設けられている。本実施形態では、コイル支持部１２ｊは、八角環状のコイル３を支持できるよう、上面視で八角形状の外形を有する。具体的には、コイル支持部１２ｊは、ケース４の角部のそれぞれに対応するように配置されている４つの角壁部１２Ｃと、ケース４の側板部４Ａ（第１側板部４Ａ１及び第２側板部４Ａ２）に対向するように配置されている４つの側壁部１２Ｓとを含む。コイル支持部１２ｊとケース４の外周壁部４Ｇとの間にはコイル３が存在する。そのため、側壁部１２Ｓは、コイル３を挟んだ状態で、ケース４の側板部４Ａに対向している。そして、コイル支持部１２ｊは、八角環状の外形を形成するように、且つ、角壁部１２Ｃ及び側壁部１２Ｓが交互に並ぶように構成されている。より具体的には、角壁部１２Ｃは、第１角部４Ｃ１〜第４角部４Ｃ４のそれぞれに対向（対応）するように配置された第１角壁部１２Ｃ１〜第４角壁部１２Ｃ４を含む。また、側壁部１２Ｓは、第１角壁部１２Ｃ１と第２角壁部１２Ｃ２との間にある第１側壁部１２Ｓ１、及び、第２角壁部１２Ｃ２と第３角壁部１２Ｃ３との間にある第２側壁部１２Ｓ２を含む。同様に、側壁部１２Ｓは、第３角壁部１２Ｃ３と第４角壁部１２Ｃ４との間にある第３側壁部１２Ｓ３（図５Ａでは不可視。図８Ａ参照。）、及び、第４角壁部１２Ｃ４と第１角壁部１２Ｃ１との間にある第４側壁部１２Ｓ４（図５Ａでは不可視。図７Ｂ参照。）を含む。
【００２２】
４つの角壁部１２Ｃのそれぞれは、ケース４の天井部４Ｂに対向する壁端面ＦＳを有する。壁端面ＦＳには異物捕捉部材５０（図５Ｂ参照。）が配置される溝部５０Ｒが形成されている。具体的には、壁端面ＦＳは、第１角部４Ｃ１〜第４角部４Ｃ４のそれぞれに対向（対応）するように配置された第１壁端面ＦＳ１〜第４壁端面ＦＳ４を含む。溝部５０Ｒは、第１壁端面ＦＳ１〜第４壁端面ＦＳ４のそれぞれに形成されている第１溝部５０Ｒ１〜第４溝部５０Ｒ４を含む。そして、異物捕捉部材５０は、第１溝部５０Ｒ１〜第４溝部５０Ｒ４のそれぞれに設けられている第１異物捕捉部材５０−１〜第４異物捕捉部材５０−４を含む。本実施形態では、壁端面ＦＳは、光軸ＪＤに垂直な平坦面で構成されている。コイル３をレンズ保持部材２に巻き付ける際に使用される治具を取り付けやすくするためである。この場合、コイル３は、図５Ｂに示すように、コイル３のＺ１側の端面３Ｔがケース４の天井部４Ｂと対向するように、且つ、端面３Ｔと壁端面ＦＳとが同一平面上に位置するように、レンズ保持部材２に巻き付けられる。溝部５０Ｒの底面は、光軸ＪＤに垂直な平坦面で構成されている。但し、溝部５０Ｒの底面は、光軸ＪＤに垂直な方向に対して傾斜していてもよい。
【００２３】
異物捕捉部材５０は、ケース４の開口４ｋを通って筐体内に侵入する塵埃等の異物を捕捉する粘着性（タック性）を有する部材である。本実施形態では、異物捕捉部材５０は、角壁部１２Ｃの壁端面ＦＳに設けられている。但し、光軸方向に延びる筒状部１２の外壁に設けられていてもよい。粘着性（タック性）を有する部材は、粘着性接着剤又は粘着性樹脂等を含む。異物捕捉部材５０は、角壁部１２Ｃの壁端面ＦＳに貼り付けられる両面テープであってもよい。この場合、溝部５０Ｒは省略されてもよい。或いは、異物捕捉部材５０は、角壁部１２Ｃの壁端面ＦＳから上方（Ｚ１方向）に突出する部材であってもよい。本実施形態では、異物捕捉部材５０は、レンズ保持部材２とコイル３との接着に用いられる粘着性接着剤と同じ粘着性接着剤で形成される。具体的には、異物捕捉部材５０は、粘着性接着剤を硬化させたものであり、コイル３は、その粘着性接着剤により、レンズ保持部材２の外壁部であるコイル支持部１２ｊに固定されている。粘着性接着剤で形成される場合、異物捕捉部材５０は、無作為に塗布されるのではなく、所定形状となるように塗布される。本実施形態では、異物捕捉部材５０のそれぞれは、図５Ｂに示すように光軸ＪＤを中心に円弧状に延びるように、且つ、対応する壁端面ＦＳ（溝部５０Ｒを含む。）の表面積の３０〜４０％に相当する表面積を有するように塗布されている。本実施形態では、一つの異物捕捉部材５０のＺ１側に現れる部分の表面積は０．３４［ｍｍ２］程度である。
【００２４】
コイル支持部１２ｊの被写体側には、光軸方向において第１突出部としてのフランジ部５２と対向するように径方向外側に突出した第２突出部としての庇部１２ｈが４箇所に形成されている。本実施形態では、庇部１２ｈは、ケース４の側板部４Ａ（第１側板部４Ａ１及び第２側板部４Ａ２）に向かって、外方へ突出するように、すなわち、光軸方向に垂直な方向に突出するように形成されている。そして、図５Ｂに示すように、コイル３は、コイル支持部１２ｊに支持され且つ光軸方向において庇部１２ｈとフランジ部５２との間に挟まれるようにしてレンズ保持部材２の外周面側に環状に巻かれている。
【００２５】
フランジ部５２は、筒状部１２の撮像素子側（Ｚ２側）の部分における外周面から径方向外側に突出している。フランジ部５２の被写体側にはコイル３が配置されている。フランジ部５２には、図６Ｂに示すように、レンズ体の光軸ＪＤを挟んで切欠部５２ｋが２つ形成されている。そして、切欠部５２ｋの一方にはコイル３の巻き始め側の線材である延在部３３Ａが通され、切欠部５２ｋの他方にはコイル３の巻き終わり側の線材である延在部３３Ｂが通されている。切欠部５２ｋを形成するフランジ部５２の縁部は、湾曲するように構成されている。縁部と接するコイル３の線材が断線するのを防止し或いは抑制するためである。
【００２６】
フランジ部５２は、図６Ａに示すように、撮像素子側（Ｚ２側）の面から下方（Ｚ２方向）に突出した、角形凸状の２つの保持部７２と、丸形凸状の６つの突設部２ｔと、３つの壁部（内側壁部８２ｕ、外側壁部８２ｖ、側壁部８２ｗ）で形成された２つの突堤部８２とを含む。
【００２７】
保持部７２は、図６Ｂに示すように、コイル３（巻回部１３）の巻き始め側に対応する保持部７２Ａと、コイル３（巻回部１３）の巻き終わり側に対応する保持部７２Ｂとを含む。コイル３の両端は、保持部７２に巻き付けられて保持されている。
【００２８】
突設部２ｔは、図６Ａ及び図１０Ａに示すように、下側板ばね２６Ａに対応する３つの突設部２ｔと、下側板ばね２６Ｂに対応する３つ突設部２ｔとを含む。突設部２ｔには、下側板ばね２６Ａ及び下側板ばね２６Ｂのそれぞれの内側部分２６ｉが装着されて固定されている。下側板ばね２６Ａ及び下側板ばね２６Ｂのそれぞれの内側部分２６ｉの固定は、内側部分２６ｉに形成された貫通孔に挿通された突設部２ｔを熱かしめすることによって実現される。なお、熱かしめは、冷間かしめであってもよい。図６Ａ及び図６Ｂでは、突設部２ｔは、熱かしめされた後の先端が変形した状態で図示されている。他の図においても同様である。
【００２９】
突堤部８２は、図６Ａに示すように、レンズ保持部材２の中心側に位置する内側壁部８２ｕと、内側壁部８２ｕと対向して外側に位置する外側壁部８２ｖと、保持部７２に近い側で内側壁部８２ｕと外側壁部８２ｖとの間に位置する側壁部８２ｗとを含む。保持部７２から遠い突堤部８２の側には、図９Ａに示すように、壁部が切り欠かれた開放部８２ｚが形成されている。そして、３つの壁部（内側壁部８２ｕ、外側壁部８２ｖ、側壁部８２ｗ）で囲われた空間が収容部８２ｓを形成している。本実施形態では、突堤部８２が保持部７２と隣り合う位置に形成されているので、保持部７２の側壁は、突堤部８２の側壁部８２ｗとして好適に利用されている。したがって、保持部７２と隣り合う位置に収容部８２ｓが設けられている。保持部７２Ａの近くにある収容部８２ｓは、コイル３の延在部３３Ａと下側板ばね２６Ａとを接続する導電性接着剤を収容できるように構成されている。同様に、保持部７２Ｂの近くにある収容部８２ｓは、コイル３の延在部３３Ｂと下側板ばね２６Ｂとを接続する導電性接着剤を収容できるように構成されている。
【００３０】
次に、レンズ駆動装置１０１の駆動機構ＭＫについて説明する。駆動機構ＭＫは、図１０Ｂに示すように、コイル３と、ケース４を構成する４つの側板部４Ａ（第１側板部４Ａ１及び第２側板部４Ａ２）のそれぞれと対向するように配置された４つの磁石５とを含む。そして、駆動機構ＭＫは、コイル３に流れる電流と磁石５が発生する磁界とで駆動力（推力）を発生させ、レンズ保持部材２を光軸方向に沿って上下に移動させることができる。
【００３１】
コイル３は、図６Ｂに示すように、レンズ保持部材２の外周に導電性の線材を巻回して形成されている。コイル３は、環状に巻かれて形成された巻回部１３と、巻回部１３から延びて保持部７２に巻き付けられる延在部３３とを含む。図６Ｂは、明瞭化のため、巻回部１３に関しては、絶縁部材で表面を被覆された導電性の線材の詳細な巻回状態の図示を省略している。巻回部１３を図示する他の図についても同様である。
【００３２】
延在部３３は、コイル３の巻き始め側で巻回部１３の内周側に位置する巻回部１３の端部（巻き始め部分）に繋がっている延在部３３Ａと、コイル３の巻き終わり側で巻回部１３の外周側に位置する巻回部１３の端部（巻き終わり部分）に繋がっている延在部３３Ｂとを含む。
【００３３】
具体的には、延在部３３Ａは、図９Ａに示すように、保持部７２Ａに巻き付けられる巻き付け部３３ｍと、収容部８２ｓの内底面と対向して延びる接続部３３ｃと、切欠部５２ｋに挿通されてフランジ部５２の撮像素子側（Ｚ２側）から被写体側（Ｚ１側）に延びる挿通部３３ｋとを含む。同様に、延在部３３Ｂは、図９Ｂに示すように、保持部７２Ｂに巻き付けられる巻き付け部３３ｍと、収容部８２ｓの内底面と対向して延びる接続部３３ｃと、切欠部５２ｋに挿通されてフランジ部５２の撮像素子側（Ｚ２側）から被写体側（Ｚ１側）に延びる挿通部３３ｋとを含む。
【００３４】
本実施形態では、延在部３３Ａは、コイル３の線材がレンズ保持部材２の外周に巻き付けられる前に、すなわち、巻回部１３が形成される前に、レンズ保持部材２の保持部７２Ａに巻き付けられる。図９Ａに示す例では、コイル３の線材の一部が保持部７２Ａに３ターン巻き付けられている。これにより、巻き付け部３３ｍが保持部７２Ａに形成され、延在部３３Ａの一部が保持部７２Ａに保持される。但し、延在部３３Ａは、コイル３の線材がレンズ保持部材２の外周に巻き付けられた後で、保持部７２Ａに巻き付けられてもよい。
【００３５】
次に、レンズ保持部材２の外周に線材が巻き付けられる。その際には、図９Ａに示すように、巻き付け部３３ｍから延びる線材は、収容部８２ｓの内底面と対向するとともに、壁部が切り欠かれた開放部８２ｚを通る。そして、線材は、フランジ部５２の下側から切欠部５２ｋを通ってフランジ部５２の上側に延びる。このとき、収容部８２ｓの内底面と対向する部分が延在部３３Ａの接続部３３ｃを構成し、切欠部５２ｋを通る部分が延在部３３Ａの挿通部３３ｋを構成する。
【００３６】
延在部３３Ａの挿通部３３ｋは、フランジ部５２の下側から上側に延びる際、図９Ａに示すように、フランジ部５２の縁部に接するように構成されている。そのため、落下等により強い衝撃がレンズ駆動装置１０１に加えられた際には、コイル３の延在部３３Ａはフランジ部５２の縁部に押し付けられる。本実施形態では、フランジ部５２の縁部は湾曲するように構成されている。そのため、延在部３３Ａは、フランジ部５２の縁部で切断され難い。延在部３３Ｂと接するフランジ部５２の縁部も湾曲するように構成されていてもよい。
【００３７】
レンズ保持部材２の外周に巻回されたコイル３の巻回部１３は、図５Ｂに示すように、レンズ保持部材２の周囲を囲む位置に配置されている。また、巻回部１３は、コイル支持部１２ｊ（図５Ａ参照。）により内側から支持された状態で、庇部１２ｈとフランジ部５２に挟まれるようにして、フランジ部５２の被写体側に固定されている。また、巻回部１３の内周面がコイル支持部１２ｊにより等方的にバランス良く支持されるため、巻回部１３は、コイル３の中心軸とレンズ保持部材２の中心軸とが一致した状態で、レンズ保持部材２に保持される。したがって、レンズ保持部材２に保持されたレンズ体の光軸ＪＤは、レンズ保持部材２及びコイル３のそれぞれの中心軸と容易に一致するように構成されている。
【００３８】
レンズ保持部材２の外周への線材の巻き付けが終了すると、巻回部１３の巻き終わり側の端部に繋がる延在部３３Ｂは、図９Ｂに示すように、フランジ部５２の被写体側から切欠部５２ｋを介してフランジ部５２の撮像素子側に引き出される。具体的には、挿通部３３ｋが切欠部５２ｋを通過し、接続部３３ｃが突堤部８２の開放部８２ｚを通過するとともに収容部８２ｓの内底面と対向して延び、巻き付け部３３ｍがレンズ保持部材２の保持部７２Ｂに巻き付けられる。図９Ｂに示す例では、延在部３３Ｂは、保持部７２Ｂに３ターン巻き付けられている。
【００３９】
突堤部８２には、保持部７２Ｂから遠い側に、壁部が切り欠かれた開放部８２ｚが形成されている。延在部３３Ｂの接続部３３ｃは開放部８２ｚを通って延びる。この構成により、突堤部８２と延在部３３Ｂとの干渉が回避され、レンズ保持部材２と下側板ばね２６Ｂとの隙間の増大が回避され、レンズ駆動装置１０１の寸法が光軸方向において大きくなるのが抑制され得る。
【００４０】
次に、ケース４について説明する。本実施形態では、ケース４は、オーステナイト系ステンレス鋼等の非磁性金属で形成された板材に抜き加工及び絞り加工を施して作製されている。非磁性金属で形成されているため、ケース４は、デュアルカメラ型の携帯機器等においてレンズ駆動装置１０１に隣接して別のレンズ駆動装置が配置される場合であっても、その別のレンズ駆動装置に含まれる駆動機構に磁気的な悪影響を及ぼすことはない。具体的には、ケース４は、図２Ａに示すように、収納部４ｓを定める箱状の外形を有する。そして、ケース４は、矩形環状の外周壁部４Ｇと、外周壁部４Ｇの上端（Ｚ１側の端）と連続するように設けられた、角部４Ｃを除いて平板状の天井部４Ｂとを有する。外周壁部４Ｇは、平板状に形成された４つの側板部４Ａを備えている。このように構成されたケース４は、図１０Ｂに示すように、コイル３及び磁石５を収納部４ｓに収容し、且つ、図２Ａに示すように、ベース部材１８に結合されてベース部材１８とともに筐体を構成する。但し、ケース４は、鉄等の磁性金属で形成されたカバーで置き換えられてもよい。この場合、ケース４はヨークとして機能する。
【００４１】
次に、駆動機構ＭＫを構成する磁石５について説明する。磁石５は、図１に示すように略直方体形状を有し、光軸方向に垂直な方向（Ｘ軸方向又はＹ軸方向）に延びるように配置されている。そして、４つの磁石５は、図１０Ｂに示すように、コイル３の外側に位置するとともに、ケース４を構成する４つの側板部４Ａ（第１側板部４Ａ１及び第２側板部４Ａ２）のそれぞれに沿うように配置されている。そして、接着剤により、側板部４Ａのそれぞれの内面に固定されている。また、磁石５は、例えば、内側がＮ極、外側がＳ極となるように配置されている。
【００４２】
次に、板ばね６及び固定側部材ＲＧについて説明する。図１１Ａ及び図１１Ｂは、板ばね６を説明する図である。図１１Ａは、上側板ばね１６の上面図であり、図１１Ｂは、下側板ばね２６Ａ及び下側板ばね２６Ｂの底面図である。図１２Ａ及び図１２Ｂは、下側板ばね２６Ａとコイル３との接続状態の一例を説明する図である。具体的には、図１２Ａは、図１０Ａに示す部分Ｔの拡大図であり、図１２Ｂは、図１０Ａに示す部分ＴをＸ２側から見たときの下側板ばね２６Ａ、コイル３及びレンズ保持部材２の拡大図である。なお、図１２Ａ及び図１２Ｂでは、説明を分かり易くするため、導電性接着剤ＣＡがクロスハッチングで示されている。図１３Ａ及び図１３Ｂは、固定側部材ＲＧとしてのベース部材１８を説明する図である。具体的には、図１３Ａは、ベース部材１８の上方斜視図であり、図１３Ｂは、ベース部材１８に下側板ばね２６Ａ及び下側板ばね２６Ｂが組み付けられた状態を示す上方斜視図である。
【００４３】
板ばね６は、銅合金を主な材料とした金属板から作製されている。板ばね６は、図１に示すように、レンズ保持部材２とケース４との間に配置される上側板ばね１６と、レンズ保持部材２とベース部材１８との間に配置される下側板ばね２６Ａ及び下側板ばね２６Ｂとを含む。レンズ保持部材２と板ばね６（上側板ばね１６、下側板ばね２６Ａ及び下側板ばね２６Ｂ）のそれぞれとが係合された状態で、板ばね６は、レンズ保持部材２が光軸方向（Ｚ軸方向）へ移動可能となるように、レンズ保持部材２を空中で支持している。下側板ばね２６Ａ及び下側板ばね２６Ｂは、コイル３に電流を供給するための給電部材として機能する。そのため、下側板ばね２６Ａはコイル３の一端に電気的に接続され、下側板ばね２６Ｂはコイル３の他端に電気的に接続されている。上側板ばね１６とケース４との間にはスペーサ部材が配置されていてもよい。レンズ保持部材２がＺ１方向に移動したときにレンズ保持部材２とケース４とが衝突するのを防止するためである。
【００４４】
上側板ばね１６は、図１１Ａに示すように、略矩形状をなし、レンズ保持部材２に固定される内側部分１６ｉと、固定側部材ＲＧに固定される外側部分１６ｅと、内側部分１６ｉと外側部分１６ｅとの間に位置する４つの弾性腕部１６ｇとを含む。具体的には、上側板ばね１６は、枠状に形成されており、中心を挟んで対向するように設けられた２つの内側部分１６ｉを有している。外側部分１６ｅは、４つの角部分１６ｂと、隣り合う２つの角部分１６ｂを繋ぐ４つの桟部１６ｒとを有している。桟部１６ｒの両端部と角部分１６ｂの一部は、ケース４の天井部４Ｂの一部を構成する角部４Ｃと磁石５とで挟持されて固定される。このように、ケース４及び磁石５は、固定側部材ＲＧとして機能する。弾性腕部１６ｇは、ケース４における第１角部４Ｃ１〜第４角部４Ｃ４のそれぞれに対応するように配置された第１弾性腕部１６ｇ１〜第４弾性腕部１６ｇ４を含む。第１弾性腕部１６ｇ１〜第４弾性腕部１６ｇ４は、対応する第１角部４Ｃ１〜第４角部４Ｃ４の内側（光軸ＪＤ側）に位置している。すなわち、第１弾性腕部１６ｇ１〜第４弾性腕部１６ｇ４は、それぞれの弾性変形が第１角部４Ｃ１〜第４角部４Ｃ４によって妨げられないように構成されている。
【００４５】
上側板ばね１６がレンズ駆動装置１０１に組み込まれた際には、図４Ａに示すように、内側部分１６ｉは、レンズ保持部材２の台座部１２ｄ（図５Ａ参照。）に載置される。そして、内側部分１６ｉと台座部１２ｄとを接着剤で固定することにより、内側部分１６ｉはレンズ保持部材２に固定される。外側部分１６ｅは、図４Ｂに示すように、磁石５の上面（Ｚ１側の面）に接し、天井部４Ｂの角部４Ｃの下面（図４Ｂでは不図示。）と磁石５の上面との間に挟持されて固定される。
【００４６】
上側板ばね１６は、図１１Ａに示すように、略左右対称に形成されている。そして、内側部分１６ｉでレンズ保持部材２に固定され、外側部分１６ｅでケース４に固定されている。そのため、上側板ばね１６は、レンズ保持部材２をバランス良く空中で支持できる。
【００４７】
下側板ばね２６Ａ及び下側板ばね２６Ｂは、図１１Ｂに示すように、それぞれの内側形状が半円形状となるように構成されている。そして、レンズ保持部材２の撮像素子側に固定される内側部分２６ｉと、固定側部材ＲＧに固定される外側部分２６ｅと、内側部分２６ｉと外側部分２６ｅとの間に位置する弾性腕部２６ｇとを含む。
【００４８】
下側板ばね２６Ａ及び下側板ばね２６Ｂのそれぞれの内側部分２６ｉは、図１１Ｂに示すように、レンズ保持部材２と係合される３つの内側接合部分２６ｃと、３つの内側接合部分２６ｃの間を繋ぐ２つの第１連結部２６ｐと、コイル３の延在部３３と対向する接続板部２６ｈとを含む。
【００４９】
下側板ばね２６Ａ及び下側板ばね２６Ｂがレンズ駆動装置１０１に組み込まれた際には、図６Ａに示すレンズ保持部材２の６つの突設部２ｔのそれぞれは、図１１Ｂに示す下側板ばね２６Ａ及び下側板ばね２６Ｂのそれぞれの内側接合部分２６ｃに設けられた円形の貫通孔に挿通されて嵌合される。これにより、下側板ばね２６Ａ及び下側板ばね２６Ｂのそれぞれの内側部分２６ｉは、レンズ保持部材２に位置決めされ且つ固定される。下側板ばね２６Ａ及び下側板ばね２６Ｂは、例えば、レンズ保持部材２の突設部２ｔに熱かしめ又は冷間かしめを施すことで、レンズ保持部材２に固定される。
【００５０】
以下では、主に下側板ばね２６Ａとレンズ保持部材２及びコイル３との関係を説明する。但し、下側板ばね２６Ａに関する説明は、下側板ばね２６Ｂにも同様に適用される。
【００５１】
下側板ばね２６Ａの内側部分２６ｉの接続板部２６ｈは、図１２Ｂに示すように、レンズ駆動装置１０１が組み立てられた際には、レンズ保持部材２の突堤部８２と対向する。すなわち、接続板部２６ｈの被写体側（Ｚ１側）の面は、図１２Ａに示すように、突堤部８２で形成された収容部８２ｓと対向する。そして、コイル３の延在部３３Ａの接続部３３ｃは、図１２Ｂに示すように、下側板ばね２６Ａの内側部分２６ｉの被写体側の面とレンズ保持部材２のフランジ部５２の撮像素子側（Ｚ２側）の面との間を通って延びる。
【００５２】
内側部分２６ｉの接続板部２６ｈには、図１２Ａに示すように、突堤部８２の開放部８２ｚと対向する位置に、貫通部２６ｔとして２つの切り欠きが設けられ、且つ、外側壁部８２ｖと対向する位置に、Ｕ字形状の切欠部２６ｋが設けられている。貫通部２６ｔは、底面視で、突堤部８２の内側壁部８２ｕ及び外側壁部８２ｖのそれぞれの端部に対応する位置に設けられ、且つ、貫通部２６ｔを構成している端面２６ｘがこれらの端部を覆うように設けられている。この配置により、貫通部２６ｔは、導電性接着剤ＣＡが下側板ばね２６ＡのＺ１側の表面を伝ってＹ２側に広がるのを防止している。また、切欠部２６ｋは、導電性接着剤ＣＡが下側板ばね２６ＡのＺ１側の表面を伝って外側壁部８２ｖの側（Ｘ２側）に広がるのを防止している。すなわち、内側壁部８２ｕの側（Ｘ１側）に広がり易くしている。接続部３３ｃの全周囲が導電性接着剤ＣＡによって覆われるようにするためである。
【００５３】
下側板ばね２６Ａがレンズ保持部材２に組み付けられた際には、図１２Ｂに示すように、保持部７２Ａは、その先端が下側板ばね２６Ａの内側部分２６ｉの撮像素子側（Ｚ２側）に位置するように、内側部分２６ｉよりも下方（Ｚ２方向）に突出している。また、巻き付け部３３ｍの一部も内側部分２６ｉの撮像素子側（Ｚ２側）に位置するように保持部７２Ａに巻き付けられている。
【００５４】
下側板ばね２６Ａとコイル３の延在部３３Ａは、合成樹脂中に銀粒子等の導電性フィラーが分散された導電性接着剤ＣＡで電気的且つ機械的に接続されている。具体的には、下側板ばね２６Ａをレンズ保持部材２に組み込む前に、レンズ保持部材２の突堤部８２で囲まれた収容部８２ｓに導電性接着剤ＣＡが塗布され、その後、下側板ばね２６Ａがレンズ保持部材２に装着される。そして、レンズ保持部材２の突設部２ｔが熱かしめされ、且つ、導電性接着剤ＣＡが熱硬化される。導電性接着剤ＣＡの収容部８２ｓへの塗布から導電性接着剤ＣＡの熱硬化までは、保持部７２が鉛直上方に突出するようにレンズ保持部材２が逆さまにされた状態で行われる。そのため、導電性接着剤ＣＡは、流動性を有する場合であっても、所望の位置（収容部８２ｓ内の位置）に適切に保持され得る。そして、接続部３３ｃの一部は、収容部８２ｓ内に配置されているため、導電性接着剤ＣＡ内に埋設される。なお、導電性接着剤ＣＡは、熱硬化型に限らず、紫外線硬化型であってもよい。
【００５５】
また、下側板ばね２６Ａとコイル３の延在部３３Ａは、導電性接着剤ＣＡではなく、半田付けで電気的に接続されていてもよい。この場合、半田は、下側板ばね２６ＡのＺ２側に配置され、下側板ばね２６Ａと延在部３３Ａとを電気的に接続する。
【００５６】
下側板ばね２６Ａの外側部分２６ｅは、図１１Ｂに示すように、ベース部材１８と係合される２つの外側接合部分２６ｄと、２つの外側接合部分２６ｄを繋ぐ第２連結部２６ｑとを含む。下側板ばね２６Ａの外側接合部分２６ｄに設けられた貫通孔は、ベース部材１８の上面に設けられた突設部１８ｔ（図１３Ａ参照。）と嵌合する。これにより、下側板ばね２６Ａの外側部分２６ｅは、ベース部材１８に位置決めされ且つ固定される。
【００５７】
下側板ばね２６Ａ及び下側板ばね２６Ｂは、図１１Ｂに示すように、略左右対称に形成されている。そして、下側板ばね２６Ａは、３つの内側接合部分２６ｃでレンズ保持部材２に接続され、２つの外側接合部分２６ｄでベース部材１８に接続されている。下側板ばね２６Ｂについても同様である。この構成により、下側板ばね２６Ａ及び下側板ばね２６Ｂは、レンズ保持部材２を光軸方向へ移動可能な状態でバランス良く空中で支持することができる。
【００５８】
次に、固定側部材ＲＧについて説明する。固定側部材ＲＧは、上側板ばね１６を固定するケース４及び磁石５と、下側板ばね２６Ａ及び下側板ばね２６Ｂのそれぞれを固定するベース部材１８とを含む。
【００５９】
ベース部材１８は、液晶ポリマー等の合成樹脂を用いた射出成形によって作製される。そして、ベース部材１８は、光軸方向において、レンズ保持部材２と対向するように、レンズ保持部材２の下側（Ｚ２側）に配置される。本実施形態では、ベース部材１８は、図１３Ａに示すように、矩形板状の外形を有する部材であり、中央に円形の開口１８ｋが形成されている。そして、開口１８ｋの縁部には突堤部１８Ｄが設けられている。突堤部１８Ｄは、ケース４の開口４ｋを通って筐体内に侵入した塵埃等の異物が開口１８ｋを通って撮像素子又はその上に設置されているフィルタ（以下、「撮像素子等」とする。）に達してしまうのを抑制するように構成されている。突堤部１８Ｄは、開口１８ｋを囲むように、開口１８ｋの縁部に沿って断続的に形成されている。本実施形態では、８つの欠落部で分断された８つの部分（第１突堤部１８Ｄ１〜第８突堤部１８Ｄ８）で開口１８ｋを囲むように構成されている。欠落部は、レンズ保持部材２の下面（Ｚ２側の面）から突出する突設部２ｔ等と突堤部１８Ｄとが接触してしまうのを防止するために形成されている。突堤部１８Ｄの周辺には、レンズ保持部材２に設けられた異物捕捉部材５０と同様の異物捕捉部材が設けられていてもよい。例えば、異物捕捉部材は、突堤部１８Ｄの径方向外側で突堤部１８Ｄに沿うように周方向に設けられていてもよい。また、異物捕捉部材は、光軸方向に延びる突堤部１８Ｄの外壁に設けられていてもよい。
【００６０】
また、ベース部材１８の被写体側（Ｚ１側）の面（上面）には、上方に向けて突出する６つの突設部１８ｔが設けられている。突設部１８ｔは、下側板ばね２６Ａ及び下側板ばね２６Ｂのそれぞれにおける外側接合部分２６ｄに設けられた貫通孔に挿通され且つ嵌合される。この際、突設部１８ｔは熱かしめが施されて外側接合部分２６ｄに固定される。なお、熱かしめは、冷間かしめであってもよい。図１３Ａ及び図１３Ｂでは、突設部１８ｔは、熱かしめされた後の先端が変形した状態で図示されている。他の図においても同様である。
【００６１】
ベース部材１８には、図１３Ａに示すように、銅若しくは鉄又はそれらを主成分とする合金等の材料を含む金属から形成された金属部材７がインサート成形されて埋め込まれている。金属部材７は、端子７Ａ、７Ｂ及び７Ｃを含み、端子７Ａ、７Ｂ及び７Ｃのそれぞれは、一部がベース部材１８の上面（Ｚ１側の面）に露出している。そして、互いに電気的に絶縁されている端子７Ａ、７Ｂ及び７Ｃのそれぞれは、撮像素子等を実装した基板（図示せず。）に電気的に接続されている。また、端子７Ａは下側板ばね２６Ａに電気的に接続され、端子７Ｂは下側板ばね２６Ｂに電気的に接続されている。更に、下側板ばね２６Ａはコイル３の一端に電気的に接続され、下側板ばね２６Ｂはコイル３の他端に電気的に接続されている。そのため、コイル３は、端子７Ａと下側板ばね２６Ａとを介し、或いは、端子７Ｂと下側板ばね２６Ｂとを介して電流の供給を受けることができる。
【００６２】
ベース部材１８には、端子７Ａ、７Ｂ及び７Ｃと同様に、銅若しくは鉄又はそれらを主成分とする合金等の材料を含む金属から形成された接続部材７Ｄもインサート成形されて埋め込まれている。接続部材７Ｄは、図２Ａ及び図２Ｂに示すように、ケース４を構成する外周壁部４Ｇの四隅にある曲面板部４Ｒの下端部のところで、一部を露出させている。ベース部材１８は、ケース４の側板部４Ａの内面とベース部材１８の外周側面とが組み合わさって位置決めされた後で、接続部材７Ｄとケース４の四隅にある曲面板部４Ｒの下端部とが溶接されてケース４に固定される。ケース４とベース部材１８とは少なくとも部分的に接着剤で固定されてもよい。なお、接続部材７Ｄは、端子７Ｃと繋がっている。端子７Ｃは、接地用の端子として機能する。
【００６３】
次に、図１４〜図１７を参照し、レンズ保持部材２に設けられる粘着性の異物捕捉部材５０と他の構成要素との位置関係について説明する。図１４は、レンズ保持部材２と異物捕捉部材５０との位置関係を示す上面図である。図１５は、上側板ばね１６と異物捕捉部材５０との位置関係を示す上面図である。図１６は、ベース部材１８と異物捕捉部材５０との位置関係を示す上面図である。図１７は、ケース４と異物捕捉部材５０との位置関係を示す上面図である。
【００６４】
図１７に示すように、異物捕捉部材５０は、ケース４の第１角部４Ｃ１〜第４角部４Ｃ４のそれぞれに対応（対向）するように配置された第１異物捕捉部材５０−１〜第４異物捕捉部材５０−４を含む。第１異物捕捉部材５０−１は、第１溝部５０Ｒ１（図５Ａ参照。）内に設けられ、第２異物捕捉部材５０−２は、第２溝部５０Ｒ２（図５Ａ参照。）内に設けられている。第３異物捕捉部材５０−３及び第４異物捕捉部材５０−４についても同様である。
【００６５】
第１異物捕捉部材５０−１〜第４異物捕捉部材５０−４は何れも、図１４に示すように、光軸ＪＤを中心とする仮想円ＣＬに沿って円弧状に延びるように構成されている。但し、光軸ＪＤと角部４Ｃ（図１４では不図示。）を結ぶ仮想線Ｌ１と交差する他の形状となるように構成されていてもよい。他の形状は、例えば、直線状、径方向内側に凸となる円弧状若しくはＶ字状、径方向外側に凸となるＶ字状、波状、ギザギザ状等を含む。第１溝部５０Ｒ１〜第４溝部５０Ｒ４についても同様である。
【００６６】
本実施形態では、第１異物捕捉部材５０−１〜第４異物捕捉部材５０−４は、図１４に示すように、光軸ＪＤについて２回対称となるように配置されている。この構成は、重量バランスに優れている。但し、光軸ＪＤについて４回対称となるように配置されていてもよく、非対称となるように配置されていてもよい。
【００６７】
本実施形態では、第１異物捕捉部材５０−１〜第４異物捕捉部材５０−４は何れも、連続する１つの領域を形成するように構成されている。但し、第１異物捕捉部材５０−１〜第４異物捕捉部材５０−４の少なくとも１つは、複数の独立した領域の組み合わせで構成されていてもよい。第１溝部５０Ｒ１〜第４溝部５０Ｒ４についても同様である。
【００６８】
本実施形態では、角壁部１２Ｃの壁端面ＦＳにおける溝部５０Ｒの形状は、上側板ばね１６の弾性腕部１６ｇの形状に対応するように構成されている。そのため、異物捕捉部材５０の形状も、弾性腕部１６ｇの形状に対応するように構成される。
【００６９】
例えば、第３壁端面ＦＳ３は、図１４に示すように、第３異物捕捉部材５０−３（第３溝部５０Ｒ３）によって隔てられた第１部分ＦＳ３ａ、第２部分ＦＳ３ｂ及び第３部分ＦＳ３ｃを含む。第１部分ＦＳ３ａ、第２部分ＦＳ３ｂ及び第３部分ＦＳ３ｃは何れも平坦な上面（Ｚ１側の面）を有する。そして、それぞれの上面は同一平面上に位置する。第１壁端面ＦＳ１、第２壁端面ＦＳ２及び第４壁端面ＦＳ４についても同様である。
【００７０】
第１部分ＦＳ３ａは、第３弾性腕部１６ｇ３（図１５参照。）の下面（Ｚ２側の面）が第３異物捕捉部材５０−３に接触しないように形成されている。具体的には、第３弾性腕部１６ｇ３は、外側連結部ＳＧ１、外側延在部ＳＧ２、外側折り返し部ＳＧ３、中央延在部ＳＧ４、内側折り返し部ＳＧ５、内側延在部ＳＧ６及び内側連結部ＳＧ７を含む。外側連結部ＳＧ１は、上側板ばね１６の外側部分１６ｅに連結される部分であり、内側連結部ＳＧ７は、上側板ばね１６の内側部分１６ｉに連結される部分である。外側折り返し部ＳＧ３は、外側延在部ＳＧ２と中央延在部ＳＧ４を繋ぐように構成されている。内側折り返し部ＳＧ５は、中央延在部ＳＧ４と内側延在部ＳＧ６を繋ぐように構成されている。第１部分ＦＳ３ａは、Ｚ軸方向において中央延在部ＳＧ４と対向するように配置されている。この構成により、中央延在部ＳＧ４は、落下等により強い衝撃がレンズ駆動装置１０１に加えられてレンズ保持部材２がＺ１方向に大きく移動した場合であっても、第１部分ＦＳ３ａに接触するのみである。すなわち、中央延在部ＳＧ４は、第１部分ＦＳ３ａの内周側（筒状部１２の側）に形成されている第３異物捕捉部材５０−３には接触しない。そのため、中央延在部ＳＧ４と第３異物捕捉部材５０−３とが付着したままとなってしまうことはない。
【００７１】
また、第３異物捕捉部材５０−３は、Ｚ軸方向において内側延在部ＳＧ６と対向するように配置されている。そして、内側延在部ＳＧ６のうち内側連結部ＳＧ７に近い部位に対向する部分の幅Ｗ１（図１４参照。）が、内側延在部ＳＧ６のうち内側折り返し部ＳＧ５に近い部位に対向する部分の幅Ｗ２（図１４参照。）よりも狭くなるように構成されている。内側連結部ＳＧ７よりも（Ｚ軸方向における）変位量が大きくなる内側折り返し部ＳＧ５のエッジ部分（図１５の破線部分ＢＬ参照。）がレンズ保持部材２と擦れ合って微粉末が発生してしまうのを防止するためである。すなわち、レンズ保持部材２がＺ１方向に大きく移動した場合に、内側折り返し部ＳＧ５のエッジ部分がレンズ保持部材２の表面ではなく第３異物捕捉部材５０−３と接触するようにするためである。第１異物捕捉部材５０−１、第２異物捕捉部材５０−２及び第４異物捕捉部材５０−４についても同様である。
【００７２】
また、異物捕捉部材５０は、図１６に示すように、ベース部材１８に形成されている突堤部１８Ｄと協働するように構成されている。すなわち、異物捕捉部材５０は、図１７に示すようなケース４の開口４ｋに形成されている切欠部４ｋｃから侵入した異物が、ケース４の角部とレンズ保持部材２との間の隙間、突堤部１８Ｄの欠落部、及び、ベース部材１８の開口１８ｋを通って撮像素子等に至るのを抑制できるように配置されている。例えば、第１異物捕捉部材５０−１は、開口４ｋの第１切欠部４ｋｃ１から侵入した異物が、第１突堤部１８Ｄ１と第２突堤部１８Ｄ２との間の欠落部、又は、第１突堤部１８Ｄ１と第８突堤部１８Ｄ８との間の欠落部を通って撮像素子等に至るのを抑制できるように配置されている。
【００７３】
具体的には、第１異物捕捉部材５０−１は、図１７に示すように、第１切欠部４ｋｃ１よりも径方向外側に配置されている。また、第１異物捕捉部材５０−１に沿う円弧の中心角が、第１切欠部４ｋｃ１に沿う円弧の中心角αよりも大きくなるように配置されている。すなわち、光軸ＪＤを中心とした、第１異物捕捉部材５０−１が配置される領域の角度は、光軸ＪＤを中心とした、第１切欠部４ｋｃ１が形成される領域の角度（中心角α）以上となるように構成されている。このため、第１異物捕捉部材５０−１は、コイル３の外側を通ってベース部材１８側へ向かう異物がベース部材１８側に達する前に、その異物を捕らえることができる。第２異物捕捉部材５０−２〜第４異物捕捉部材５０−４についても同様である。また、関連する２つの欠落部を塞ぐように、すなわち、第２突堤部１８Ｄ２と第８突堤部１８Ｄ８の間の円弧に沿って延びるように配置されている。但し、第１異物捕捉部材５０−１に沿う円弧の中心角は、中心角αより小さい値であってもよい。
【００７４】
なお、隣り合う２つの異物捕捉部材５０の間には、ケース４の側板部４Ａ（第１側板部４Ａ１及び第２側板部４Ａ２）に沿うように庇部１２ｈ（図１４参照。）が形成されている。そのため、庇部１２ｈは、ケース４の開口４ｋに形成されている切欠部４ｋｃから侵入した異物が、ケース４の側板部４Ａとレンズ保持部材２との間の隙間に入り込むのを抑制できる。異物が通る経路を塞いでいるためである。その結果、その異物が突堤部１８Ｄの欠落部及びベース部材１８の開口１８ｋを通って撮像素子等に至るのを抑制できる。
【００７５】
次に、図１８Ａ〜図１８Ｄを参照し、溝部５０Ｒの詳細について説明する。以下の説明は、第２溝部５０Ｒ２に関するが、第１溝部５０Ｒ１、第３溝部５０Ｒ３及び第４溝部５０Ｒ４にも同様に適用される。図１８Ａ〜図１８Ｃは、図１４における部分Ｖの上方斜視図である。但し、図１８Ｂでは、コイル３の図示が省略されている。また、図１８Ｃでは、コイル３及び第２異物捕捉部材５０−２の図示が省略されている。図１８Ｄは、図１８Ｃにおける第２溝部５０Ｒ２内にある第２異物捕捉部材５０−２の上方斜視図である。
【００７６】
本実施形態では、第２溝部５０Ｒ２は、ケース４の天井部４Ｂに形成されている開口４ｋの第２切欠部４ｋｃ２に対応するように形成されている。そして、第２溝部５０Ｒ２は、図１８Ｃに示すように、コイル３の内周面と対向するコイル支持部１２ｊの外面に繋がるように形成されている。また、第２溝部５０Ｒ２は、角壁部１２Ｃの両側にある２つの側壁部１２Ｓの間に形成されている。
【００７７】
本実施形態では、第２溝部５０Ｒ２は、コイル３（巻回部１３）の内周面と対向する第１側壁部１２Ｓ１及び第２側壁部１２Ｓ２のそれぞれの外面と繋がるように形成されている。但し、第２溝部５０Ｒ２は、第１側壁部１２Ｓ１及び第２側壁部１２Ｓ２の何れかの外面のみと繋がるように形成されていてもよい。また、第２溝部５０Ｒ２は、第１側壁部１２Ｓ１及び第２側壁部１２Ｓ２の何れの外面とも繋がらないように形成されていてもよい。すなわち、第２溝部５０Ｒ２は、その両端が第２壁端面ＦＳ２内で終端するように形成されていてもよい。また、第２溝部５０Ｒ２は、少なくとも一端が第２角壁部１２Ｃ２の外面と繋がるように形成されていてもよい。なお、第２溝部５０Ｒ２は、３つ以上の端部を有するように形成されていてもよい。そして、第２溝部５０Ｒ２は、第２角壁部１２Ｃ２、第１側壁部１２Ｓ１及び第２側壁部１２Ｓ２の少なくとも１つの外面と繋がるように形成されていてもよい。
【００７８】
側壁部１２Ｓの少なくとも１つの外面には、コイル３（巻回部１３）の内周面から離れる方向へ窪む凹部ＲＣが形成されていてもよい。凹部ＲＣには、例えば、レンズ保持部材２とコイル３とを接着するための接着剤が充填される。本実施形態では、図１８Ｃに示すように、第１側壁部１２Ｓ１の外面には第１凹部ＲＣ１が形成され、第２側壁部１２Ｓ２の外面には第２凹部ＲＣ２が形成されている。第１凹部ＲＣ１及び第２凹部ＲＣ２は何れも、上側（Ｚ１側）部分と下側（Ｚ２側）部分とを含む階段状構造を有する。そして、上側部分の少なくとも一部が下側部分よりも（コイル３の内周面から離れる方向において）深くなるように形成されている。接着剤の接着性及び充填性を高めるためである。但し、凹部ＲＣは、他の構造を有していてもよい。例えば、上側部分の深さは、下側部分の深さと同じであってもよい。階段状構造は、レンズ保持部材２とコイル３との接着強度を高める効果を有する。凹部ＲＣ内で硬化した接着剤がその形状によりコイル３の上下方向（Ｚ軸方向）及び周方向の動きを妨げるためである。
【００７９】
溝部５０Ｒは、例えば、凹部ＲＣに繋がるように形成されている。この場合、異物捕捉部材５０は、レンズ保持部材２とコイル３とを接着するための接着剤で形成されてもよい。本実施形態では、図１８Ｃに示すように、第２溝部５０Ｒ２は、第１凹部ＲＣ１及び第２凹部ＲＣ２のそれぞれに繋がるように形成されている。この構成により、第２溝部５０Ｒ２に注ぎ込まれた流動性を有する接着剤は、第２溝部５０Ｒ２を通って第１凹部ＲＣ１及び第２凹部ＲＣ２のそれぞれに至る。接着剤は、例えば、第２溝部５０Ｒ２の幅が広い部分（図１４において幅Ｗ２を有する幅広部分）に注ぎ込まれる。接着剤が第２溝部５０Ｒ２から溢れ出ることなく第２溝部５０Ｒ２内に確実に注ぎ込まれるようにするためである。その後、接着剤は、第２溝部５０Ｒ２の幅が狭い部分（図１４において幅Ｗ１を有する幅狭部分）に流れる。そして、接着剤の流れは、巻回部１３の内周面によって塞き止められる。その後、加熱又は紫外線の照射等によってその接着剤が硬化すると、レンズ保持部材２とコイル３とが接着剤で固定されるとともに、粘着性の第２異物捕捉部材５０−２が形成される。そのため、レンズ保持部材２とコイル３とが接着剤で固定された状態では、第２異物捕捉部材５０−２の両端は、図１８Ｄに示すように、巻回部１３の内周面に沿って広がるように形成されている。
【００８０】
次に、図１９Ａ及び図１９Ｂを参照し、異物捕捉部材５０による効果について説明する。図１９Ａは、図１７の仮想線Ｌ２を含むＸＺ平面をＹ１側から見たときのレンズ保持部材２、コイル３、ケース４及び磁石５の断面図である。図１９Ｂは、レンズ保持部材２に異物捕捉部材５０が設けられていない比較例の断面図である。図１９Ａ及び図１９Ｂのそれぞれにおける実線矢印は、塵埃等の異物の移動経路を表す。
【００８１】
例えば、ケース４の開口４ｋに形成されている第２切欠部４ｋｃ２から下方（Ｚ２方向）に向かって侵入した異物は、図１９Ａ及び図１９Ｂに示すように、レンズ保持部材２の筒状部１２とケース４の天井部４Ｂとの間を通過する。そして、第２角壁部１２Ｃ２の第２壁端面ＦＳ２に向かう。
【００８２】
レンズ保持部材２に異物捕捉部材５０が設けられていない場合、異物は、図１９Ｂに示すように、第２壁端面ＦＳ２に沿ってＸ１方向に移動し、巻回部１３と磁石５との間を通過する。そして、レンズ保持部材２の下面（Ｚ２側の面）に沿って光軸ＪＤに近づき、不図示のベース部材１８の開口１８ｋを通って撮像素子等に達し得る。
【００８３】
レンズ保持部材２に異物捕捉部材５０が設けられている場合、異物は、図１９Ａに示すように、第２異物捕捉部材５０−２で捕捉される。すなわち、異物は、粘着性を有する第２異物捕捉部材５０−２に付着する。そのため、第２異物捕捉部材５０−２は、異物が撮像素子等に達するのを抑制できる。
【００８４】
上述のように、本発明の実施形態に係るレンズ駆動装置１０１は、ケース４及びベース部材１８を有する筐体と、この筐体に収容されるとともにレンズ体を保持可能なレンズ保持部材２と、レンズ保持部材２の外側に保持されるコイル３と、コイル３に対向して配置される磁石５とを備え、コイル３に流れる電流と磁石５が発生する磁界とで力を発生させて支持部材としての板ばね６で支持されているレンズ保持部材２を光軸方向に沿って移動させることができる。そして、レンズ保持部材２には粘着性の異物捕捉部材５０が設けられている。そのため、レンズ駆動装置１０１を通じて撮像素子等へ異物が到達してしまうのをより確実に防止でき、撮像素子等に付着した異物による画像エラーの発生を抑制或いは防止できる。また、レンズ駆動装置１０１では、粘着性の異物捕捉部材５０がベース部材１８ではなくレンズ保持部材２に設けられているため、レンズ体が大径化しても、ベース部材１８のレイアウト（設計）の自由度が確保され得る。
【００８５】
レンズ駆動装置１０１の筐体は、典型的には、光軸方向に沿って見た平面視において、矩形状を有するカバー部材としてのケース４を備えている。そして、ケース４は、側板部４Ａ（第１側板部４Ａ１及び第２側板部４Ａ２）及び天井部４Ｂを有している。また、レンズ保持部材２は、コイル３の内周面と対向する外壁部としてのコイル支持部１２ｊを有している。コイル支持部１２ｊは、ケース４の角部のそれぞれに対応（対向）するように配置された角壁部１２Ｃを含んでいる。ケース４の角部は、外周壁部４Ｇの四隅を構成する曲面板部４Ｒ、及び、天井部４Ｂの四隅を構成する角部４Ｃの少なくとも一方を含む。角壁部１２Ｃは、天井部４Ｂに対向する壁端面ＦＳを有する。そして、異物捕捉部材５０は、壁端面ＦＳに設けられている。この構成により、レンズ駆動装置１０１は、ベース部材１８よりも天井部４Ｂに近いところにある壁端面ＦＳに設けられた異物捕捉部材５０で異物を捕捉できる。また、この構成では、異物捕捉部材５０が角壁部１２Ｃの壁端面ＦＳに設けられているため、レンズ体が大径化しても、ベース部材１８のレイアウト（設計）の自由度が確保され得る。
【００８６】
異物捕捉部材５０は、例えば、角壁部１２Ｃの壁端面ＦＳに形成された溝部５０Ｒに配置されていてもよい。この構成により、異物は、異物捕捉部材５０に捕捉され易くなる。また、異物は、異物捕捉部材５０から解放され難くなる。異物は、溝部５０Ｒの内部に入ると、溝部５０Ｒから抜け出すことが困難となるためである。また、異物捕捉部材５０が流動性のある接着剤等を硬化させたものである場合、溝部５０Ｒは、異物捕捉部材５０の設置（塗布）に関する作業性を向上させることができる。設置（塗布）が望まれない部位への接着剤（異物捕捉部材５０）の付着を抑制或いは防止できるためである。
【００８７】
ケース４の天井部４Ｂに形成された開口４ｋには、ケース４の角部のそれぞれに向かって拡がるように切欠部４ｋｃが形成されていてもよい。この場合、溝部５０Ｒは、切欠部４ｋｃに対応するように形成されていてもよい。この構成により、溝部５０Ｒ内に配置されている異物捕捉部材５０は、切欠部４ｋｃを通じて侵入してくる異物をより確実に捕捉できる。そして、異物が撮像素子等まで至るのを抑制或いは防止できる。
【００８８】
溝部５０Ｒは、コイル３の内周面と対向する外壁部としてのコイル支持部１２ｊの外面に繋がるように形成されていてもよい。具体的には、図１８Ｃに示すように、第２溝部５０Ｒ２の右端（Ｘ１側の端部）は、コイル支持部１２ｊにおける第１側壁部１２Ｓ１の外面に繋がっているとともに、コイル３の巻回部１３の内周面に対向するように形成されていてもよい。また、図１８Ｃに示すように、第２溝部５０Ｒ２の左端（Ｙ２側の端部）は、コイル支持部１２ｊにおける第２側壁部１２Ｓ２の外面に繋がっているとともに、コイル３の巻回部１３の内周面に対向するように形成されていてもよい。なお、溝部５０Ｒは、その両端の一方のみがコイル支持部１２ｊにおける側壁部１２Ｓの外面に繋がるように形成されていてもよい。すなわち、溝部５０Ｒは、コイル３の内周面と対向する側壁部１２Ｓの少なくとも１つの外面に繋がるように形成されていてもよい。この構成により、異物捕捉部材５０が流動性のある接着剤等を硬化させたものである場合、コイル３の巻回部１３は、溝部５０Ｒに注ぎ込まれた接着剤の流れを塞き止めることができる。
【００８９】
外壁部としてのコイル支持部１２ｊは、コイル３を挟んでケース４の側板部４Ａ（第１側板部４Ａ１及び第２側板部４Ａ２）に対向するように配置された側壁部１２Ｓを含んでいてもよい。この場合、溝部５０Ｒは、角壁部１２Ｃの両側にある２つの側壁部１２Ｓの間に形成されていてもよい。具体的には、図１８Ｃに示すように、第２溝部５０Ｒ２は、第２角壁部１２Ｃ２の両側にある第１側壁部１２Ｓ１と第２側壁部１２Ｓ２との間に形成されていてもよい。なお、第２溝部５０Ｒ２は、側壁部１２Ｓに繋がっていなくてもよい。この構成により、角壁部１２Ｃの壁端面ＦＳ上で第１側壁部１２Ｓ１と第２側壁部１２Ｓ２との間の広い範囲にわたって延びるように形成されている溝部５０Ｒは、筐体内に侵入した異物をより確実に捕捉できる。
【００９０】
側壁部１２Ｓの少なくとも１つの外面には、図１８Ｃに示すように、コイル３の内周面から離れる方向へ窪む凹部ＲＣが形成されていてもよい。レンズ保持部材２とコイル３とを接着するための接着剤を受け入れるためである。この場合、溝部５０Ｒは、凹部ＲＣに繋がるように形成されていてもよい。具体的には、図１８Ｃに示すように、第１側壁部１２Ｓ１の外面には第１凹部ＲＣ１が形成されていてもよく、第２側壁部１２Ｓ２の外面には第２凹部ＲＣ２が形成されていてもよい。そして、第２溝部５０Ｒ２は、その右端が第１凹部ＲＣ１に繋がりその左端が第２凹部ＲＣ２に繋がるように形成されていてもよい。この構成により、未硬化の異物捕捉部材５０の量が多い場合であっても、凹部ＲＣは、その未硬化の異物捕捉部材５０を受け入れることができる。
【００９１】
異物捕捉部材５０は、上述のように、接着剤を硬化させたものであってもよい。そして、コイル３は、その接着剤によって外壁部としてのコイル支持部１２ｊに固定されてもよい。すなわち、異物捕捉部材５０を形成するための接着剤と、コイル３をレンズ保持部材２に固定するための接着剤は同じ接着剤であってもよい。この場合、作業者は、溝部５０Ｒに接着剤を注ぎ込むだけで、異物捕捉部材５０を形成し、且つ、コイル３をレンズ保持部材２に固定することができる。そのため、レンズ駆動装置１０１の生産性は高まる。
【００９２】
レンズ保持部材２は、外方へ突出するように形成された第１突出部としてのフランジ部５２と、ケース４の側板部４Ａに向かって外方へ突出するように形成された第２突出部としての庇部１２ｈと、を有していてもよい。この場合、庇部１２ｈは、光軸方向においてフランジ部５２と対向するように形成されていてもよい。また、コイル３は、光軸方向においてフランジ部５２と庇部１２ｈとの間に配置されていてもよい。この構成では、例えば図５Ａに示すように、隣り合う第１角壁部１２Ｃ１と第２角壁部１２Ｃ２との間に庇部１２ｈが存在する。そのため、異物は、庇部１２ｈとケース４の天井部４Ｂとの間ではなく、角壁部１２Ｃと天井部４Ｂとの間を通過しようとする。隙間が大きいためである。その結果、異物は、角壁部１２Ｃの壁端面ＦＳに形成された異物捕捉部材５０で捕捉され易い。
【００９３】
角壁部１２Ｃの壁端面ＦＳは、光軸ＪＤに垂直な平坦面であってもよい。この場合、ケース４の天井部４Ｂと対向するように配置されたコイル３の端面３Ｔと壁端面ＦＳは同一平面上にあってもよい。この構成により、コイル３をレンズ保持部材２に巻き付ける際に用いられる治具の壁端面ＦＳへの取り付けが容易になる。また、異物捕捉部材５０の壁端面ＦＳへの設置も容易になる。
【００９４】
ベース部材１８に形成された開口１８ｋの縁部には複数の突堤部１８Ｄが設けられていてもよい。具体的には、突堤部１８Ｄは、例えば図１６に示すように、ベース部材１８の開口１８ｋの縁部で、異物捕捉部材５０によって囲まれていない開放部分を補うように設けられていてもよい。より具体的には、第２突堤部１８Ｄ２は、第１異物捕捉部材５０−１と第２異物捕捉部材５０−２との間の開放部分を補うように設けられていてもよい。同様に、第４突堤部１８Ｄ４は、第２異物捕捉部材５０−２と第３異物捕捉部材５０−３との間の開放部分を補うように設けられていてもよい。第６突堤部１８Ｄ６及び第８突堤部１８Ｄ８についても同様である。
【００９５】
以上、本発明の好ましい実施形態について詳説した。しかしながら、本発明は、上述した実施形態に限定されることはない。上述した実施形態は、本発明の範囲を逸脱することなしに、種々の変形及び置換が適用され得る。また、上述の実施形態を参照して説明された特徴のそれぞれは、技術的に矛盾しない限り、適宜に組み合わされてもよい。
【００９６】
例えば、上記実施形態では、フランジ部５２には、コイル３の延在部３３を通す切欠部５２ｋが２つ設けられているが、コイル３の巻回部１３を保持可能であれば、３つ以上の切欠部が設けられていてもよい。
【００９７】
また、上記実施形態では、下側板ばね２６Ａと延在部３３Ａとを電気的に接続し、且つ、下側板ばね２６Ｂと延在部３３Ｂとを電気的に接続する構成としたが、これに限るものではない。例えば、手振れ補正機能付きのレンズ駆動装置においては、上側板ばねを２つに分割して一対とし、延在部３３Ａ及び延在部３３Ｂのそれぞれと電気的に接続する構成であってもよい。この場合には、レンズ保持部材２の上端部側（Ｚ１側）に切欠部を有するフランジ部が設けられていてもよい。
【００９８】
また、上記実施形態では、異物捕捉部材５０は、第１角部４Ｃ１〜第４角部４Ｃ４のそれぞれに対向するように配置されているが、４つの角部４Ｃのうちの１つ、２つ又は３つに対向するように配置されていてもよい。
【００９９】
本願は、２０１７年１２月２７日に出願した日本国特許出願２０１７−２５１９８７号に基づく優先権を主張するものであり、この日本国特許出願の全内容を本願に参照により援用する。
【符号の説明】
【０１００】
２・・・レンズ保持部材  ２ｔ・・・突設部  ３・・・コイル  ３Ｔ・・・端面  ４・・・ケース  ４Ａ・・・側板部  ４Ａ１・・・第１側板部  ４Ａ２・・・第２側板部  ４Ｂ・・・天井部  ４Ｃ・・・角部  ４Ｇ・・・外周壁部  ４ｋ・・・開口  ４ｋｃ・・・切欠部  ４Ｒ・・・曲面板部  ４ｓ・・・収納部  ５・・・磁石  ６・・・板ばね  ７・・・金属部材  ７Ａ、７Ｂ、７Ｃ・・・端子  ７Ｄ・・・接続部材  １２・・・筒状部  １２Ｃ・・・角壁部  １２ｄ・・・台座部  １２ｄｈ・・・窪み  １２ｈ・・・庇部  １２ｊ・・・コイル支持部  １２Ｓ・・・側壁部  １３・・・巻回部  １６・・・上側板ばね  １６ｂ・・・角部分  １６ｅ・・・外側部分  １６ｇ・・・弾性腕部  １６ｉ・・・内側部分  １６ｒ・・・桟部  １８・・・ベース部材  １８Ｄ・・・突堤部  １８ｋ・・・開口  １８ｔ・・・突設部  ２６Ａ、２６Ｂ・・・下側板ばね  ２６ｃ・・・内側接合部分  ２６ｄ・・・外側接合部分  ２６ｅ・・・外側部分  ２６ｇ・・・弾性腕部  ２６ｈ・・・接続板部  ２６ｉ・・・内側部分  ２６ｋ・・・切欠部  ２６ｐ・・・第１連結部  ２６ｑ・・・第２連結部  ２６ｔ・・・貫通部  ２６ｘ・・・端面  ３３、３３Ａ、３３Ｂ・・・延在部  ３３ｃ・・・接続部  ３３ｋ・・・挿通部  ３３ｍ・・・巻き付け部  ５０・・・異物捕捉部材  ５０Ｒ・・・溝部  ５２・・・フランジ部  ５２ｋ・・・切欠部  ７２、７２Ａ、７２Ｂ・・・保持部  ８２・・・突堤部  ８２ｓ・・・収容部  ８２ｕ・・・内側壁部  ８２ｖ・・・外側壁部  ８２ｗ・・・側壁部  ８２ｚ・・・開放部  １０１・・・レンズ駆動装置  ＣＡ・・・導電性接着剤  ＦＳ・・・壁端面  ＪＤ・・・光軸  ＭＫ・・・駆動機構  ＲＣ・・・凹部  ＲＧ・・・固定側部材
【図１】
2019131316.tif 000003
【図２Ａ】
2019131316.tif 000004
【図２Ｂ】
2019131316.tif 000005
【図３Ａ】
2019131316.tif 000006
【図３Ｂ】
2019131316.tif 000007
【図４Ａ】
2019131316.tif 000008
【図４Ｂ】
2019131316.tif 000009
【図５Ａ】
2019131316.tif 000010
【図５Ｂ】
2019131316.tif 000011
【図６Ａ】
2019131316.tif 000012
【図６Ｂ】
2019131316.tif 000013
【図７Ａ】
2019131316.tif 000014
【図７Ｂ】
2019131316.tif 000015
【図８Ａ】
2019131316.tif 000016
【図８Ｂ】
2019131316.tif 000017
【図９Ａ】
2019131316.tif 000018
【図９Ｂ】
2019131316.tif 000019
【図１０Ａ】
2019131316.tif 000020
【図１０Ｂ】
2019131316.tif 000021
【図１１Ａ】
2019131316.tif 000022
【図１１Ｂ】
2019131316.tif 000023
【図１２Ａ】
2019131316.tif 000024
【図１２Ｂ】
2019131316.tif 000025
【図１３Ａ】
2019131316.tif 000026
【図１３Ｂ】
2019131316.tif 000027
【図１４】
2019131316.tif 000028
【図１５】
2019131316.tif 000029
【図１６】
2019131316.tif 000030
【図１７】
2019131316.tif 000031
【図１８Ａ】
2019131316.tif 000032
【図１８Ｂ】
2019131316.tif 000033
【図１８Ｃ】
2019131316.tif 000034
【図１８Ｄ】
2019131316.tif 000035
【図１９Ａ】
2019131316.tif 000036
【図１９Ｂ】
2019131316.tif 000037
【手続補正書】
【提出日】令和2年3月16日(2020.3.16)
【手続補正１】
【補正対象書類名】特許請求の範囲
【補正対象項目名】全文
【補正方法】変更
【補正の内容】
【特許請求の範囲】
【請求項１】
筐体と、前記筐体に収容されるとともにレンズ体を保持可能なレンズ保持部材と、前記レンズ保持部材の外壁部の外側に保持されるコイルと、前記コイルに対向して配置される磁石とを備え、前記コイルに流れる電流と前記磁石が発生する磁界とで力を発生させて支持部材で支持されている前記レンズ保持部材を光軸方向に沿って移動させるレンズ駆動装置であって、
前記レンズ保持部材に粘着性の異物捕捉部材が設けられている、
レンズ駆動装置。
【請求項２】
前記筐体は、矩形状のカバー部材を含み、
前記カバー部材は、天井部及び側板部を有し、
前記レンズ保持部材の前記外壁部は、前記カバー部材の角部のそれぞれに対応するように配置された角壁部を含み、
前記角壁部は、前記天井部に対向する壁端面を有し、
前記異物捕捉部材は、前記壁端面に設けられている、
請求項１に記載のレンズ駆動装置。
【請求項３】
前記異物捕捉部材は、前記角壁部の前記壁端面に形成された溝部に配置されている、
請求項２に記載のレンズ駆動装置。
【請求項４】
前記カバー部材の前記天井部に形成された開口には、前記カバー部材の角部のそれぞれに向かって拡がるように切欠部が形成されており、
前記溝部は、前記切欠部に対応するように形成されている、
請求項３に記載のレンズ駆動装置。
【請求項５】
前記溝部は、前記コイルの内周面と対向する前記外壁部の外面に繋がるように形成されている、
請求項３又は４に記載のレンズ駆動装置。
【請求項６】
前記外壁部は、前記カバー部材の前記側板部に対向するように配置された側壁部を含み、
前記溝部は、前記角壁部の両側にある２つの前記側壁部の間に形成されている、
請求項３乃至５の何れかに記載のレンズ駆動装置。
【請求項７】
前記溝部は、前記コイルの内周面と対向する前記側壁部の少なくとも１つの外面に繋がるように形成されている、
請求項６に記載のレンズ駆動装置。
【請求項８】
前記側壁部の少なくとも１つの外面には、前記コイルの内周面から離れる方向へ窪む凹部が形成されており、
前記溝部は、前記凹部に繋がるように形成されている、
請求項７に記載のレンズ駆動装置。
【請求項９】
前記異物捕捉部材は、接着剤を硬化させたものであり、
前記コイルは、前記接着剤によって前記外壁部に固定されている、
請求項２乃至８の何れかに記載のレンズ駆動装置。
【請求項１０】
前記レンズ保持部材は、
外方へ突出するように形成された第１突出部と、
前記カバー部材の前記側板部に向かって外方へ突出するように形成された第２突出部と、を有し、
前記第２突出部は、前記光軸方向において前記第１突出部と対向するように形成されており、
前記コイルは、前記光軸方向において前記第１突出部と前記第２突出部との間に配置されている、
請求項２乃至９の何れかに記載のレンズ駆動装置。
【請求項１１】
前記角壁部の前記壁端面は、光軸に垂直な平坦面であり、
前記カバー部材の前記天井部と対向するように配置された前記コイルの端面と前記壁端面は同一平面上にある、
請求項２乃至１０の何れかに記載のレンズ駆動装置。
【請求項１２】
前記筐体は、前記レンズ保持部材に対向するベース部材を備え、
前記ベース部材に形成された開口の縁部には複数の突堤部が設けられている、
請求項１乃至１１の何れかに記載のレンズ駆動装置。
【請求項１３】
請求項１乃至１２の何れかに記載のレンズ駆動装置と、
前記レンズ体と、
前記レンズ体に対向する撮像素子と、を有する、
カメラモジュール。
【手続補正２】
【補正対象書類名】明細書
【補正対象項目名】０００７
【補正方法】変更
【補正の内容】
【０００７】
本発明の実施形態に係るレンズ駆動装置は、筐体と、前記筐体に収容されるとともにレンズ体を保持可能なレンズ保持部材と、前記レンズ保持部材の外壁部の外側に保持されるコイルと、前記コイルに対向して配置される磁石とを備え、前記コイルに流れる電流と前記磁石が発生する磁界とで力を発生させて支持部材で支持されている前記レンズ保持部材を光軸方向に沿って移動させるレンズ駆動装置であって、前記レンズ保持部材に粘着性の異物捕捉部材が設けられている。
【国際調査報告】
2019131316.tif 000038
2019131316.tif 000039
2019131316.tif 000040
2019131316.tif 000041